(57)【要約】  本発明は、太陽電池パネルに嵌め込まれ得て、かつ建築物の屋根の上への当該パネルの固定及び組み込みを可能にする支持プレート（１０）に関する。当該支持プレートは、防水性の縦方向のオーバーラップ手段（１２）と、防水性の横方向の嵌め合い手段（１４）と、プレート（１０）のための複数の支持パッド（３６）と、ケーブルの通過と屋根の骨組へのアクセスとを目的とする空間（４０）とを備える。しかも、水の流れの方向を空間（４０）の横方向の両側へ変えるように全体として逆Ｖ字形に形成された複数のガイドレール（４６）と、横方向の嵌め合い手段（１４）と屋根との間に介在して嵌め合い手段（１４）の押し潰しを防止するように設計された少なくとも１つの補強材と、少なくとも１つのドリル領域（３８）と、２枚の並置プレート（１０）の間の縦方向のオーバーラップを調整するように設計された目盛（２０）とのうちから選択された特徴を少なくとも備える。
2017510738.tif 000002
【特許請求の範囲】
【請求項１】
太陽電池パネルに嵌め込まれ、かつ建築物の屋根の上への当該パネルの固定及び組み込みを可能にするのに適した支持プレート（１０）であって、
防水性の縦方向のオーバーラップ手段（１２）と、
防水性の横方向の嵌め合い手段（１４）と、
前記プレート（１０）を支持するための高められた複数のパッド（３６）と、
ケーブルの通過と前記屋根の骨組へのアクセスとを目的とする空間（４０）とを備え、
前記屋根の棟から来る水の流れの方向にて前記空間（４０）の上流側に配されて、前記水の流れの方向を前記空間（４０）の横方向の両側へ変えるように全体として逆Ｖ字形に形成された複数のガイドレール（４６）と、
前記横方向の嵌め合い手段（１４）と前記屋根との間に介在し、かつ前記嵌め合い手段（１４）の押し潰しを防止するように設計された少なくとも１つの補強材（３４）と、
２枚の並置プレート（１０）の間の縦方向のオーバーラップを調整するように設計された目盛（２０）とのうちから選択された特徴を少なくとも備えた支持プレート。
【請求項２】
請求項１記載の支持プレート（１０）において、
各ガイドレール（４６）は、前記水の流れの方向を前記空間（４０）の横方向の両側へ変えるためのビードを形成することを特徴とする支持プレート。
【請求項３】
先行する請求項のうちのいずれか１項に記載の支持プレート（１０）において、
前記嵌め合い手段（１４）は全体として逆Ｕ字形に形成された中空部をなし、前記補強材（３４）は前記嵌め合い手段（１４）により画定された凹所の中に配された固定部であることを特徴とする支持プレート。
【請求項４】
先行する請求項のうちのいずれか１項に記載の支持プレート（１０）において、
前記屋根の棟から来る水の流れが前記空間（４０）に入ることを防止するように設けられたビード（４２）を備えたことを特徴とする支持プレート。
【請求項５】
請求項４記載の支持プレート（１０）において、
前記プレート（１０）と前記太陽電池パネルとの間でケーブルの通過を可能にするように、前記ビード（４２）に形成された溝（４４）を備えたことを特徴とする支持プレート。
【請求項６】
先行する請求項のうちのいずれか１項に記載の支持プレート（１０）において、
各ドリル領域（３８）は、固定手段の配置を可能にするように、対応する支持パッド（３６）よりも低く持ち上げられていることを特徴とする支持プレート。
【請求項７】
先行する請求項のうちのいずれか１項に記載の支持プレート（１０）において、
前記太陽電池パネルを持ち上げて通風を良くするための手段（５０）を備えたことを特徴とする支持プレート。
【請求項８】
先行する請求項のうちのいずれか１項に記載の支持プレート（１０）において、
前記屋根の棟から来る水を追い出すことを可能にする複数の楔（５２）を備えたことを特徴とする支持プレート。
【請求項９】
太陽電池パネルと、当該太陽電池パネルに適した、先行する請求項のうちのいずれか１項に記載のプレート（１０）とにより形成されたセット。
【発明の詳細な説明】
【技術分野】
【０００１】
本発明は、太陽電池パネルを設置するための改良されたプレートに関し、防水に優れ、簡便かつ迅速な設置を可能にするものである。
【背景技術】
【０００２】
従来、太陽電池パネルの設置及び固定は、重量が大きくかつ付加的な輸送手段を必要とする金属製レールシステムを用いて行われた。
【０００３】
加えて、従来のシステムは、しばしば水の浸入リスクに曝されていた。
【０００４】
太陽電池パネルを設置するための装置として、欧州特許出願公開第２５４１１６２号明細書に開示された装置が知られている。これは、太陽電池パネルの設置を容易にする熱成形プレートを含む。
【０００５】
支持プレートは、太陽電池パネルに嵌め込まれ、かつ建築物の屋根の上への当該パネルの固定及び組み込みを可能にするのに適している。当該プレートは、防水性の縦方向のオーバーラップ手段と、防水性の横方向の嵌め合い手段と、プレートを固定するためのポイントと、ケーブルの通過と屋根の骨組へのアクセスとを目的とする空間とを備える。
【０００６】
このタイプのプレートは、太陽電池パネルの簡便な設置を可能にするものの、防水に改善の余地がある。
【発明の概要】
【０００７】
この目的のため、本発明は、太陽電池パネルに嵌め込まれ、かつ建築物の屋根の上への当該パネルの固定及び組み込みを可能にするのに適した支持プレートに関する。当該支持プレートは、
防水性の縦方向のオーバーラップ手段と、
防水性の横方向の嵌め合い手段と、
プレートを支持するための高められた複数のパッドと、
ケーブルの通過と屋根の骨組へのアクセスとを目的とする空間とを備える。しかも、
屋根の棟から来る水の流れの方向にて空間の上流側に配されて、水の流れの方向を空間の横方向の両側へ変えるように全体として逆Ｖ字形に形成された複数のガイドレールと、
横方向の嵌め合い手段と屋根との間に介在し、かつ嵌め合い手段の押し潰しを防止するように設計された少なくとも１つの補強材と、
各支持パッドの近傍に配され、かつ水の侵入を避けるように高められた、少なくとも１つのドリル領域と、
２枚の並置プレートの間の縦方向のオーバーラップを調整するように設計された目盛とのうちから選択された特徴を少なくとも備える。
【０００８】
これらの異なる特徴の各々は、支持プレートの防水性を改善するのに貢献する。
【０００９】
好ましくは、各ガイドレールは、水の流れの方向を空間の横方向の両側へ変えるためのビードを形成する。
【００１０】
また、嵌め合い手段は全体として逆Ｕ字形に形成された中空部をなし、補強材は嵌め合い手段により画定された凹所の中に配された固定部である。
【００１１】
補強材は、プレートの防水性を保持するように、嵌め合い手段に働く押し潰し力に対する耐性をもたらす。
【００１２】
加えて、プレートは、屋根の棟から来る水の流れが空間に入ることを防止するように設けられたビードを備える。
【００１３】
プレートと太陽電池パネルとの間でケーブルの通過を可能にするように、ビードに溝が形成される。
【００１４】
好ましい実施形態によれば、各ドリル領域は、固定手段の配置を可能にするように、対応する支持パッドよりも低く持ち上げられている。
【００１５】
また、支持プレートは、太陽電池パネルを持ち上げて通風を良くするための手段と、屋根の棟から来る水を追い出すことを可能にする複数の楔とを備える。
【００１６】
本発明は、太陽電池パネルと、当該太陽電池パネルに適した上記のプレートとにより形成されたセットにも関する。
【００１７】
本発明の他の特徴と利点は、理解のために添付の図面への参照がなされる、以下の詳細な説明を読むことにより、明らかとなるであろう。
【図面の簡単な説明】
【００１８】
【図１】本発明による支持プレートを横から見た形式で示す平面図である。
【図２】図１の支持プレートを示す斜視図である。
【図３】支持プレートにおける防水性の横方向の嵌め合い手段を示す側面図である。
【図４】横方向の嵌め合い手段の補強材を示す詳細断面図である。
【発明を実施するための形態】
【００１９】
本明細書及び特許請求の範囲において「上」、「下」という表現、及びそれらの派生語は、図１の上部及び下部に関して、各々限定することなく使用される。
【００２０】
加えて、本明細書及び特許請求の範囲の明確化のために、高さ方向（Longitudinal）、縦方向（Vertical）、及び横方向（Transverse）という用語は、図面にて示された３方向Ｌ，Ｖ，Ｔに関して、限定することなく適用される。ここで、縦方向の軸Ｖは、地球の重力にかかわらず、屋根の傾斜に平行であると考えられる。
【００２１】
これらの図の全てにおいて、同一又は同様の参照番号は、同一又は同様の要素又は要素の集合を表す。
【００２２】
本願では、「上流側」及び「下流側」という用語は、プレートの取り付けが意図されている屋根の傾斜に関し、かつ水の流出する方向に関するものと理解されるべきであることに、注意されたい。
【００２３】
図１には、太陽電池パネル（不図示）に嵌め込まれ、かつ建築物の屋根の上への当該パネルの固定及び組み込みを可能にするのに適した支持プレート１０が示されている。
【００２４】
プレート１０は、防水性の縦方向のオーバーラップ手段１２と、防水性の横方向の嵌め合い手段１４とを備える。
【００２５】
縦方向のオーバーラップ手段１２は、縦方向に並置された上側の支持プレートと下側の支持プレートとのオーバーラップを可能にするのに適した、横方向の上側帯１６と、横方向の下側帯１８とから構成される。
【００２６】
この構成によれば、完全な防水性を保証するように、上側のプレート１０の下側帯１８が、下側のプレート１０の上側帯１６を覆う。
【００２７】
この目的で、縦方向のオーバーラップと、２枚の並置プレートの間の補償範囲とを調整するように設計された目盛２０が、オーバーラップ手段に設けられる。
【００２８】
この目的を実現するために、目盛は、例えば支持プレート１０の上側帯１６にて彫刻され、印刷され、又はモールドされた、目盛付けられた物差しの外観を呈する。
【００２９】
このように、目盛２０は、２枚の支持プレート１０のオーバーラップの測定と、最小の補償範囲及び良好な防水性の保証とを可能にする。
【００３０】
加えて、目盛２０は、当該支持プレートが種々の形式の太陽電池パネルに適合し得るように、設置されるべき太陽電池パネルの寸法をもとにした、２枚の並置支持プレート１０のオーバーラップの設定を可能にする。
【００３１】
図３から分かるように、横方向の嵌め合い手段１４は、プレート１０の両側で各々縦方向に延び、かつ各々全体として逆Ｕ字形に形成された中空部を呈する、第１の輪郭２２と第２の輪郭２４とを有する。
【００３２】
第１の輪郭２２は、２枚の隣接支持プレート１０が横方向に並置された際に、両プレート間の良好な防水性を保証するように、第２の輪郭２４によって形成された凹所に嵌め込まれる形状を有する。
【００３３】
図４によれば、両輪郭２２，２４の上に、止め金２６がネジ２８で固定されている。
【００３４】
止め金２６は、第１のプレート１０に担持された太陽電池パネルとの協働に適した第１の保持脚３０と、第２のプレート１０に担持された太陽電池パネルとの協働に適した第２の保持脚３２とを有する。
【００３５】
太陽電池パネルに圧力、例えば風に起因した圧力が加わる場合、当該パネルは、嵌め合い手段１４の縦方向の部材に圧縮力を伝達し得る。
【００３６】
嵌め合い手段１４の押し潰しを防止するために、横方向の嵌め合い手段１４と屋根との間に介在した補強材３４が、支持プレート１０に設けられる。
【００３７】
嵌め合い手段１４の押し潰しは、例えばネジ２８を通すための穴の変形により、或いは第２の輪郭２４の持ち上がりにより、水の浸入経路を開くというリスクにつながるので、避けられるべきである。
【００３８】
補強材３４は、嵌め合い手段１４の押し潰しに抗するように、嵌め合い手段１４の第１の輪郭２２により画定された凹所の中に配された固定部である。
【００３９】
非限定の態様にて、補強材３４は、例えば第１の輪郭２２のモールドによって、第１の輪郭２２により一体的に形成されてもよい。
【００４０】
他の観点によれば、図１及び図２を参照して、支持プレート１０は、太陽電池パネルを支持するための、当該太陽電池パネルを持ち上げるように高められた複数のパッド３６を備える。
【００４１】
複数の支持パッド３６は、太陽電池パネルの位置決め、案内及び楔留めとを可能にし、かつ複数のパネルの取付具の脚を支持することを可能にする。
【００４２】
加えて、各支持パッド３６は、水の流れから保護されることを目的として支持パッド３６の下流側に設けられ、かつ水の浸入を避けるように高められたドリル領域３８に関連付けられている。
【００４３】
ドリル領域３８は、固定手段の穿孔及び通過を可能にするように設計された領域を意図したものである。ドリル領域３８は、例えば、ドリル位置を表示する印又は記号、及び／又は、ドリル作業を容易にするために予め機械的に弱体化された領域を含み得る。
【００４４】
図２から分かるように、各ドリル領域３８は、ネジ（不図示）のような固定手段の配置を可能にし、かつ対応する支持パッド３６を固定手段が超えないことで、太陽電池パネルの組み立てを妨げないように、対応する支持パッド３６よりも低く持ち上げられている。
【００４５】
また、支持プレート１０は、ケーブルの通過と屋根の骨組へのアクセスとを目的とした空間４０を画定する。
【００４６】
空間４０より高い位置に、屋根の棟から来る水の流れが空間４０に入ることを防止するようにビード４２が設けられている。
【００４７】
プレート１０と太陽電池パネルとの間でケーブルの通過を可能にするように、ビード４２に溝４４が形成されている。
【００４８】
図１から分かるように、プレート１０は、屋根の棟から来る水の流れの方向にて空間４０の上流側に配されて、水の流れの方向を空間４０の横方向の両側へ変えるように全体として逆Ｖ字形に形成された複数のガイドレール４６を備える。
【００４９】
各ガイドレール４６は、水の流れの方向を空間４０の横方向の両側へ変えるための、高められたビードを形成する。
【００５０】
また、プレート１０は、太陽電池パネルの通風改善を可能にする、太陽電池パネルを持ち上げるための手段５０を備える。
【００５１】
最後に、プレート１０は、支持パッド３６の上流側に配されて、屋根の棟から来る水を追い出すことを可能にする複数の楔５２を備える。
【００５２】
加えて、複数の楔５２は、太陽電池パネルを支持するように設計されている。
【００５３】
プレート１０は、好ましくは射出成形により、又は型押しにより、又は他の任意の製造方法により、補強材３４の部分の例外を除いて一体的に形成される。
【００５４】
本発明の詳細な説明は、非限定的な例として挙げられたものである。
【００５５】
プレート１０は、景観を損なわない取り付けを可能にするように設計され、かつ寸法が決められ得るものと理解されよう。
【図１】
2017510738.tif 000003
【図２】
2017510738.tif 000004
【図３】
2017510738.tif 000005
【図４】
2017510738.tif 000006
【国際調査報告】
2017510738.tif 000007
2017510738.tif 000008
2017510738.tif 000009
2017510738.tif 000010